(57)【特許請求の範囲】
【請求項１】
袋の底部がガセット形式に形成され、上部の一方の側部に水平方向に外側に向く狭い幅の注出口部が、その外周をヒートシールして形成されると共に、その両側部が切り欠かれて突出する形状に設けられた積層フィルム製の注出口部付き自立袋において、該注出口部の片面の積層フィルムに、該注出口部からその基部を越えて袋の内部側に向けて、外側に膨らむ水平方向の半円筒状の膨らみ部が、半円筒状の雌型内に常温で積層フィルムを雄型で押し込む方法で設けられると共に、該半円筒状の膨らみ部が、該注出口部の基部の内部側の位置で、該半円筒状の膨らみ部の開口部を横切るようにテープ状シートが配置され、該開口部の両側部で積層フィルムに熱接着されて固定されていることを特徴とする注出口部付き自立袋。
【請求項２】
前記半円筒状の膨らみ部が、前記注出口部からその基部を越えて袋のもう一方の側部まで水平方向に設けられていることを特徴とする請求項１記載の注出口部付き自立袋。
【請求項３】
前記注出口部の外周のヒートシール部が、少なくとも、注出口部の両側部の一部を水平方向に平行にヒートシールする第１のシール部と、両側部全体とそれに続く両肩部をヒートシールする第２のシール部と、注出口部の先端部を垂直方向にヒートシールする第３のシール部とを、この順に３段階に分割したシールパターンでヒートシールされていることを特徴とする請求項１または２に記載の注出口部付き自立袋。
【請求項４】
前記テープ状シートが、厚み１５０〜４００μｍのポリエチレンもしくはポリプロピレンの単層体、または一方の面にポリエチレンもしくはポリプロピレンが積層された積層体で形成されていることを特徴とする請求項１乃至３のいずれかに記載の注出口部付き自立袋。
【請求項５】
前記テープ状シートの引張強さが、１５〜１５０Ｎ／個であることを特徴とする請求項１乃至４のいずれかに記載の注出口部付き自立袋。
【請求項６】
前記注出口部の先端側の開封位置に、易開封性手段として少なくともハーフカット線とノッチが設けられていることを特徴とする請求項１乃至５のいずれかに記載の注出口部付き自立袋。
【発明の詳細な説明】
【技術分野】
【０００１】
本発明は、注出口部付き自立袋に関し、更に詳しくは、袋の底部をガセット形式で形成して自立性を付与し、上部の一方の側部に水平方向に外側に向く狭い幅の注出口部を、その外周をヒートシールして形成し、その両側部を切り欠いて突出する形状に設けた積層フィルム製の注出口部付き自立袋の分野において、注出口部の片面の積層フィルムに、外側に半円筒状に膨らむ膨らみ部を保形性よく形成し、袋に充填された内容物を注出する際に、注出口部が途中で閉塞することがなく最後まで保形性よく開口し、注出できるようにした注出口部付き自立袋に関する。
【背景技術】
【０００２】
従来、注出口部付き自立袋としては、底部をガセット形式で形成したスタンディングパウチ形式の自立袋の上部に狭い幅の注出口部を、その外周をヒートシールして形成すると共に、その注出口部の側部に切り欠き部を設けて上方に突出する形状に設けた形式の袋が、自立性に優れ取り扱い易く、また、立体容器としての特徴も一部備え、容量の割にコンパクトに包装でき、更に、充填された液状の内容物を口径の小さなボトルなどの他の容器に移し替えて使用する場合でも、比較的安全に移し替えられることから、主に、液状の内容物を対象として、広範囲の内容物の密封包装用に汎用されている。
【０００３】
しかし、このような注出口部付き自立袋は、自立性には優れているが、注出口部の幅が狭いため内容物を注出する際に、開封された注出口部が広がりにくく、且つ、注出の途中で注出口部が閉塞しやすく、注出の操作が厄介になる問題があった。
このような問題を解決するために、例えば、注出口部のフィルムに種々の形状のエンボス加工を施して、注出口部の広がり、即ち、開口性を向上させた注出口部付き袋が提案されている。
【０００４】
このようなエンボス加工を施して注出口部の開口性とその保形性を向上させた袋として、例えば、（１）「詰め替え用パウチ」として、「両側のヒートシール部により形成される狭い幅の注出口部を具え、内部に流動性を有する内容物が密封包装される詰め替え用パウチにおいて、前記注出口部近傍の少なくとも一方の壁面フィルムに、フラットな面の組み合わせであって、幅方向の断面形状が直線の組み合わせで形成される膨らみ部を有することを特徴とする詰め替え用パウチ。」がある（特許文献１参照）。
【０００５】
また、前記エンボス加工とは別の手段で注出口部の開口性とその保形性を向上させた注出口部付き袋も提案されており、例えば、（２）「注出口付きパウチ」として、「周囲の端縁部がヒートシールにより封止され、流動性を有する内容物が密封包装されるパウチにおいて、パウチの周囲の一部に注出口部を備え、且つ、該注出口部の内面に、熱収縮性フィルムが固定されていることを特徴とする注出口付きパウチ。」がある（特許文献２参照）。
【特許文献１】特開平１１−３４９０１２号公報（第２頁〜第５頁、図１〜図３）
【特許文献２】特開平１１−９１８０７号公報（第２頁〜第４頁、図１〜図３）
【０００６】
前記特許文献１に記載された「詰め替え用パウチ」では、図１、および図２、図３に示されるように、狭い幅の注出口部６近傍の少なくとも一方の壁面フィルムに、フラットな面の組み合わせであって、幅方向の断面形状が直線の組み合わせで形成される膨らみ部Ｓが設けられているので、この膨らみ部Ｓは面と面との境目に折れ曲がりによる角部が線状に形成され、そのリブ効果により膨らみ部Ｓの保形性が向上し、内容物の注出適性が向上される。
只、このような詰め替え用パウチでも、注出口部の膨らみ部は熱成形により形成されているので、空パウチを束ねて長期保管すると、膨らみ部同士が重なり合って押しつぶす力が働くと同時に、経時的に熱成形の戻りが発生するため、膨らみ部が幅方向に僅かに広がると共に、高さは低くなり注出適性の向上効果が低下する傾向となり、更に、改善の余地があった。
【０００７】
また、前記特許文献２に記載された「注出口付きパウチ」では、図１、図２に示されるように、注出口部の内面の両側のヒートシール部の間に、熱収縮性フィルムを張り渡すように固定しているので、例えば、内容物の充填時に注出口部を加熱することにより、熱収縮性フィルムのみが収縮するため、両側の注出口部のフィルムが外側に持ち上がり、自動的に注出口部が筒状に開口し、内容物の注出適性が付与される。
しかし、熱収縮性フィルム自体は、注出口部の両面のフィルムの間にあるため、均一に加熱することが難しく、熱収縮がやや不安定となり、注出口部を確実に希望する筒状に開口させるという点では、まだ不十分であった。
【発明の開示】
【発明が解決しようとする課題】
【０００８】
本発明は、前述したような問題点を解消するためになされたものであり、その課題は、袋の底部がガセット形式に形成され、上部の一方の側部に狭い幅の注出口部がその両側部が切り欠かれて突出する形状に設けられた注出口部付き自立袋の分野において、自立性に優れることはもとより、充填された液状の内容物を注出する際に、注出口部が容易に筒状に開口すると共に、その保形性がよく、注出の開始時に粘度の低い内容物であっても、勢い良く飛び出してこぼすようなことがなく、また、注出の途中で注出口部が閉塞することもなく最後まで安全且つ容易に注出することができる注出口部付き自立袋を提供することである。
【課題を解決するための手段】
【０００９】
上記の課題は、以下の本発明により解決することができる。
即ち、請求項１に記載した発明は、袋の底部がガセット形式に形成され、上部の一方の側部に水平方向に外側に向く狭い幅の注出口部が、その外周をヒートシールして形成されると共に、その両側部が切り欠かれて突出する形状に設けられた積層フィルム製の注出口部付き自立袋において、該注出口部の片面の積層フィルムに、該注出口部からその基部を越えて袋の内部側に向けて、外側に膨らむ水平方向の半円筒状の膨らみ部が、半円筒状の雌型内に常温で積層フィルムを雄型で押し込む方法で設けられると共に、該半円筒状の膨らみ部が、該注出口部の基部の内部側の位置で、該半円筒状の膨らみ部の開口部を横切るようにテープ状シートが配置され、該開口部の両側部で積層フィルムに熱接着されて固定されていることを特徴とする注出口部付き自立袋からなる。
【００１０】
請求項２に記載した発明は、前記半円筒状の膨らみ部が、前記注出口部からその基部を越えて袋のもう一方の側部まで水平方向に設けられていることを特徴とする請求項１記載の注出口部付き自立袋からなる。
請求項３に記載した発明は、前記注出口部の外周のヒートシール部が、少なくとも、注出口部の両側部の一部を水平方向に平行にヒートシールする第１のシール部と、両側部全体とそれに続く両肩部をヒートシールする第２のシール部と、注出口部の先端部を垂直方向にヒートシールする第３のシール部とを、この順に３段階に分割したシールパターンでヒートシールされていることを特徴とする請求項１または２に記載の注出口部付き自立袋である。
請求項４に記載した発明は、前記テープ状シートが、厚み１５０〜４００μｍのポリエチレンもしくはポリプロピレンの単層体、または一方の面にポリエチレンもしくはポリプロピレンが積層された積層体で形成されていることを特徴とする請求項１乃至３のいずれかに記載の注出口部付き自立袋である。
請求項５に記載した発明は、前記テープ状シートの引張強さが、１５〜１５０Ｎ／個であることを特徴とする請求項１乃至４のいずれかに記載の注出口部付き自立袋である。
そして、請求項６に記載した発明は、前記注出口部の先端側の開封位置に、易開封性手段として少なくともハーフカット線とノッチが設けられていることを特徴とする請求項１乃至５のいずれかに記載の注出口部付き自立袋からなる。
【００１１】
本発明において、自立袋の製造に用いる積層フィルムは、特に限定はされず、従来、スタンディングパウチなどの自立袋に用いられている公知の積層フィルムはいずれも使用することができる。
また、本発明において、前記注出口部からその基部を越えて袋の内部側に向けて設けられた前記膨らみ部を固定するために用いるテープ状シートは、自立袋の積層フィルムの内面のシーラント層に熱接着可能なものであれば特に限定はされないが、テープ状シートの熱接着を機械的に能率よく行うためには、適度の剛性と引張強さを有すると同時に巻きクセやカールのないことが必要である。
従って、テープ状シートは、プラスチック材料で形成した場合、その幅は５ｍｍ〜１５ｍｍの範囲が好ましく、厚みは１５０μｍ〜４００μｍの範囲が好ましい。
テープ状シートの幅が５ｍｍ未満の場合は、半円筒状の膨らみ部の保持性が不安定になるため好ましくない。また、幅が１５ｍｍを越える場合は、前記膨らみ部の保持性は既に十分であり、その必要性がなく、むしろ経済性の点で不利となるため好ましくない。
また、テープ状シートの引張強さは、１５〜１５０Ｎ／個であることが好ましい。引張強さが１５Ｎ／個未満の場合は、膨らみ部を固定（保持）する効果が不十分となるため好ましくなく、１５０Ｎ／個を越える場合は、既に十分な引張強さであり、その必要性がなく、経済性の点で不利となるため好ましくない。
尚、前記引張強さの測定は、ＪＩＳ  Ｋ７１２７プラスチックフィルム及びシートの引張試験方法に準じたものであり、試験装置にはテンシロン万能試験機〔（株）エー・アンド・デイ社製  型式：ＳＡＴ−１１５０〕を用い、試験速度Ｈ：毎分２００±２０ｍｍで測定したものである。
【００１２】
テープ状シートの材質に関しては、 少なくとも自立袋の内面のシーラント層に熱接着される側の面は、シーラント層の材質に合わせてポリオレフィン系樹脂の中から熱接着可能なものを選べばよいが、シーラント層には殆んどの場合、直鎖状低密度ポリエチレン、高圧法低密度ポリエチレンなどのポリエチレンもしくはポリプロピレンが用いられているので、テープ状シート全体を前記ポリエチレンもしくはポリプロピレンの単層体で形成するか、一方の面に前記ポリエチレンもしくはポリプロピレンが積層された積層体で形成することができる。積層体とする場合、前記ポリエチレンもしくはポリプロピレン層の反対側の層には、前記ポリエチレンもしくはポリプロピレンよりも融点の高い樹脂を用いることが好ましく、ポリエチレンテレフタレート、ナイロン、ポリプロピレンなどの中から適宜選定して使用することができる。
【００１３】
また、前記注出口部の先端側の開封位置には、印刷による開封指示線のほか、引き裂きによる開封を容易にするための易開封性手段を設けることが好ましい。
易開封性手段としては、ノッチのほかレーザー光照射などによるハーフカット線、あるいは、袋の積層フィルム中に一軸延伸フィルムを積層する方法（この場合、一軸延伸フィルムは、その延伸方向が注出口部の開封方向と一致するように積層する。）などがあり、本発明においては、ノッチとハーフカット線、またはノッチと一軸延伸フィルムの積層などのように複数を組み合わせて用いることが好ましい。
【００１４】
前記ノッチは、通常、一字形やＶ字形のノッチが利用されているが、形状は特に限定はされず、切り取り方向に鋭角部分を有する形状であれば何でも使用することができる。
前記ハーフカット線は、直線状のハーフカット線に限らず、ミシン目状などの断続的なハーフカット線で設けることもできる。このようなハーフカット線は、１本でもよいが、引き裂きラインが外れた場合を想定して、中心のハーフカット線の両側に各１本〜各３本など複数のハーフカット線を平行に、または中心のハーフカット線に収斂する形状に、あるいは、複数の平行なハーフカット線とこれに斜めに交差する斜め方向のハーフカット線とを組み合わせた形状など、任意の形状に設けることができる。
このようなハーフカット線は、レーザー光照射により注出口部の開封位置の前後両面の積層フィルムに設けることが好ましく、ハーフカット線の深さは、少なくとも表面の基材層がカットされる深さであればよい。
【発明の効果】
【００１５】
請求項１に記載した発明によれば、注出口部付き自立袋を、袋の底部がガセット形式に形成され、上部の一方の側部に水平方向に外側に向く狭い幅の注出口部が、その外周をヒートシールして形成されると共に、その両側部が切り欠かれて突出する形状に設けられた積層フィルム製の注出口部付き自立袋において、該注出口部の片面の積層フィルムに、該注出口部からその基部を越えて袋の内部側に向けて、外側に膨らむ水平方向の半円筒状の膨らみ部が、半円筒状の雌型内に常温で積層フィルムを雄型で押し込む方法で設けられると共に、該半円筒状の膨らみ部が、該注出口部の基部の内部側の位置で、該半円筒状の膨らみ部の開口部を横切るようにテープ状シートが配置され、該開口部の両側部で積層フィルムに熱接着されて固定された構成としているので、以下に列挙するような作用効果が得られる。
（１）袋の底部がガセット形式に形成されているので、スタンディングパウチと同様な底部とすることができ、自立袋に優れた自立性を付与することができる。
（２）袋の上部の一方の側部に水平方向に外側に向く狭い幅の注出口部が、その外周をヒートシールして形成されると共に、その両側部が切り欠かれて突出する形状に設けられているので、自立袋に充填された液状の内容物を口径の小さなボトルなどの容器に移し替える場合でも、内容物が一旦袋の上部に流動した後、方向を変えて水平方向の注出口部から注出されるため、内容物が勢い良く飛び出すことがなく、更に、注出口部をボトルの口部に差し込んで注出できるので、内容物を外にこぼすことなく安全に移し替えることができる。
（３）注出口部付き自立袋が積層フィルム製であるため、積層フィルムの構成の選定により、優れた密封性、ガスバリヤー性、防湿性などの性能を付与することができ、内容物の保存性を高めることができる。
（４）前記注出口部の片面の積層フィルムに、該注出口部からその基部を越えて袋の内部側に向けて、外側に膨らむ水平方向の半円筒状の膨らみ部が、半円筒状の雌型内に常温で積層フィルムを雄型で押し込む方法で設けられると共に、該半円筒状の膨らみ部が、該注出口部の基部の内部側の位置で、該半円筒状の膨らみ部の開口部を横切るようにテープ状シートが配置され、該開口部の両側部で積層フィルムに熱接着されて固定された構成としているので、前記半円筒状の膨らみ部は、熱成形により設けた場合のような経時的な戻りがなく、また、前記テープ状シートで固定されているので確実にその膨らみ形状が保持される。
また、前記半円筒状の膨らみ部は、注出口部の片面の積層フィルムに、該注出口部からその基部を越えて袋の内部側に向けて、水平方向に外側に膨らむように設けられているので、注出口部の先端部をその開封位置で切り取ることにより、注出口部が半円筒状に保形性よく開口するようになる。従って、内容物の注出の途中で注出口部が閉塞することもなく最後までスムーズに注出することができる。
更に、前記半円筒状の膨らみ部を注出口部の裏面側の積層フィルムに設けることにより、表面側の積層フィルムはフラットにできるので、膨らみ部およびそれに伴うしわなどが表面になく、外観をよくすることができる。
【００１６】
請求項２に記載した発明によれば、請求項１に記載した発明の注出口部付き自立袋の構成において、前記半円筒状の膨らみ部が、前記注出口部からその基部を越えて袋のもう一方の側部まで水平方向に設けられた構成としているので、請求項１に記載した発明の作用効果に加えて、前記膨らみ部を設けることにより袋の片面の積層フィルムに発生する積層フィルムの余剰部分が、袋の全幅に水平方向に均一に形成されるので、膨らみ部の両端、即ち、注出口部の先端部と、その反対側の袋の側部のヒートシール部で、この余剰部分をフラットに押し圧してヒートシールすることができる。従って、前記膨らみ部が、注出口部の反対側で不安定に広がることがなくなるので、袋のヒートシールを安定して行えるようになる。
【００１７】
尚、前記膨らみ部の両端をフラットに押し圧してヒートシールした場合、膨らみ部の両側などに、積層フィルムの重なりによる小さなひだ状部が形成されてヒートシールされる。このようなひだ状部は、外観の点から、膨らみ部の両側にバランスよく形成されるようにヒートシールしてもよいが、いずれか一方に寄せて片側に形成されるようにヒートシールしてもよい。前記ひだ状部を膨らみ部の片側に寄せて形成する場合は、袋の下側方向に寄せて形成されるようにヒートシールすることが、外観をよくすると同時に、そのひだ状部に塵埃などが溜まることも防止できるので一層好ましい。
【００１８】
請求項３に記載した発明によれば、請求項１または２に記載した発明の注出口部付き自立袋の構成において、前記注出口部の外周のヒートシール部が、少なくとも、注出口部の両側部の一部を水平方向に平行にヒートシールする第１のシール部と、両側部全体とそれに続く両肩部をヒートシールする第２のシール部と、注出口部の先端部を垂直方向にヒートシールする第３のシール部とを、この順に３段階に分割したシールパターンでヒートシールされた構成としているので、請求項１または２に記載した発明の作用効果に加えて、注出口部の片面の積層フィルムに前記膨らみ部を設けたことに起因して、主に注出口部の周辺のヒートシール部に発生するしわを、できるだけ規則的なものにすると同時に、少なくすることができ、シール不良の発生を防止し、また、外観が損なわれることを防止することができる。
請求項４に記載した発明によれば、請求項１乃至３のいずれかに記載した発明の注出口部付き自立袋の構成において、前記テープ状シートが、厚み１５０〜４００μｍのポリエチレンもしくはポリプロピレンの単層体、または一方の面にポリエチレンもしくはポリプロピレンが積層された積層体で形成された構成としているので、請求項１乃至３のいずれかに記載した発明の作用効果に加えて、テープ状シートを機械で自立袋の積層フィルムの内面のシーラント層に熱接着して前記膨らみ部を固定する際に、必要とされる十分な剛性および引張強さを有すると同時に、そのポリエチレンもしくはポリプロピレン層により強固に熱接着することができる。
請求項５に記載した発明によれば、請求項１乃至４のいずれかに記載した発明の注出口部付き自立袋の構成において、前記テープ状シートの引張強さを、１５〜１５０Ｎ／個とした構成としているので、請求項１乃至４のいずれかに記載した発明の作用効果に加えて、前記半円筒状の膨らみ部を固定する効果を一層確実に得ることができる。
【００１９】
請求項６に記載した発明によれば、請求項１乃至５のいずれかに記載した発明の注出口部付き自立袋の構成において、前記注出口部の先端側の開封位置に、易開封性手段として少なくともハーフカット線とノッチが設けられた構成としているので、請求項１乃至５のいずれかに記載した発明の作用効果に加えて、自立袋に充填された内容物を取り出す際に、注出口部の先端部をその開封位置で容易に手で引き裂いて開封することができ、それにより注出口部が自動的に膨らみ部により半円筒状に保形性よく開口するようになる。
【発明を実施するための最良の形態】
【００２０】
以下に本発明の注出口部付き自立袋の製造に用いる積層フィルム、および注出口部付き自立袋の実施の形態について図面を用いて説明する。
先ず、本発明の注出口部付き自立袋の製造に用いる積層フィルムは、前述したように、特に限定はされず、スタンディングパウチなどの自立袋に用いられている公知の積層フィルムはいずれも使用することができる。
また、自立袋の壁面に用いる積層フィルムと底面に用いる積層フィルムには、同じ構成の積層フィルムを用いてもよいが、必要に応じて異なる構成の積層フィルムを用いることもできる。
【００２１】
前記積層フィルムとして、簡単な構成では、基材フィルム層にシーラント層を積層した構成の積層フィルムが用いられるが、袋に充填される内容物の種類やその量、或いは、水蒸気その他のガスバリヤー性、遮光性、各種の機械的強度など必要とされる性能に応じて、上記基材フィルム層とシーラント層との間などに水蒸気その他のガスバリヤー層や、遮光層、強度向上層などを積層した構成の積層フィルムを使用することができる。
上記基材フィルム層、水蒸気その他のガスバリヤー層、遮光層、強度向上層、シーラント層などは、それぞれを単独の層で形成してもよいが、複数の層を積層して形成することもできる。
【００２２】
前記基材フィルム層としては、ポリエチレンテレフタレート、ポリエチレンナフタレートなどのポリエステルの二軸延伸フィルム、ナイロン６、ナイロン６６、ＭＸＤ６（ポリメタキシリレンアジパミド）などのポリアミドの二軸延伸フィルム、二軸延伸ポリプロピレンフィルムなどのプラスチックフィルムを好適に使用できるほか、合成紙、紙なども使用することができる。
これらは単独で使用してもよく、また、複数を組み合わせて積層して使用することもできる。
【００２３】
前記ガスバリヤー層としては、エチレン・酢酸ビニル共重合体ケン化物（ＥＶＯＨ）、ポリ塩化ビニリデン（ＰＶＤＣ）、ＭＸＤ６、ポリアクリロニトリル（ＰＡＮ）などのフィルムのほか、アルミニウム箔などの金属箔、或いは、シリカ、アルミナ、酸化亜鉛、酸化マグネシウム、ＩＴＯなどの無機酸化物やアルミニウムなどの金属の蒸着層、またはＰＶＤＣやポリビニルアルコール（ＰＶＡ）、ポリアクリル酸（ＰＡＡ）などの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。
【００２４】
前記無機酸化物や金属の蒸着層は、蒸着やスパッタリング、イオンプレーティングなどの手段で、前記基材フィルム上に厚みが２００〜１２００Å程度になるように堆積させて形成することができる。
前記無機酸化物の蒸着層は、単独の層で形成してもよいが、複数の層で形成することにより一層優れたガスバリヤー性を得ることができる。
また、前記無機酸化物の蒸着層は、その接着性を向上させ、或いは亀裂などの損傷を防止して優れたガスバリヤー性を有効に発揮させるため、その上下の面に接着性向上層、保護層、ガスバリヤー性向上層などの目的で、反応型アクリル系樹脂、ポリウレタン系樹脂、シランカップリング剤を含有させたアクリル系樹脂、金属アルコキシドを含有させた水溶性高分子、エチレン・酢酸ビニル共重合体ケン化物などの樹脂層を設けて複合層としてガスバリヤー層を形成することができる。
【００２５】
前記ガスバリヤー層のうち、アルミニウム箔、またはアルミニウムの蒸着層を設けたフィルムは、不透明であるため遮光層を兼ねることもできる。
前記強度向上層としては、前記基材フィルムのいずれかを適宜追加積層してもよく、二軸延伸高密度ポリエチレンフィルムなどを防湿層を兼ねて積層することもできる。
前記基材フィルム層とガスバリヤー層、遮光層、強度向上層との積層には、公知のドライラミネーション法または押し出しラミネーション法（サンドイッチラミネーション法）を用いることができる。
【００２６】
前記シーラント層には、線状低密度ポリエチレン（Ｌ・ＬＤＰＥ）、高圧法低密度ポリエチレン（ＬＤＰＥ）、中密度ポリエチレン（ＭＤＰＥ）、高密度ポリエチレン（ＨＤＰＥ）、エチレン・αオレフィン共重合体、エチレン・酢酸ビニル共重合体、エチレン・アクリル酸共重合体、エチレン・メタクリル酸共重合体、エチレン・アクリル酸エステル共重合体、アイオノマーなどのほか、ポリプロピレンおよびその共重合体などを使用することができる。
シーラント層の積層は、上記の樹脂をフィルム状に製膜し、ドライラミネーション法または押し出しラミネーション法で積層する方法、或いは、上記の樹脂を基材フィルム層またはガスバリヤー層などの積層面に押し出しコートして積層する方法などを採ることができる。但し、内容物がシーラント層に浸透しやすいもの、またはそれを含むものの場合は、ドライラミネーション法で積層することが好ましい。
【００２７】
前記線状低密度ポリエチレン（Ｌ・ＬＤＰＥ）は、ヒートシールの安定性や耐内容物性、例えば界面活性剤に対する耐ストレスクラッキング性などに優れており、これらの性能を必要とする内容物の包装用に適している。
また、エチレン・αオレフィン共重合体でシングルサイト触媒を用いて重合したものは、分子量分布の幅が狭く、共重合比も安定しているため、低温ヒートシール性や、熱間シール性に優れており、本発明の自立袋のように、底部にガセット部を設けて形成した自立袋や、通常のガセット袋などヒートシール部にフィルムの重なりの差による段差のある袋のシーラント層にはシール抜けによるピンホールの発生を防止できる点で適している。
【００２８】
次に、以上のような積層フィルムを用いて製造する本発明の注出口部付き自立袋について図面を用いて説明する。但し、本発明は、その要旨を越えない限り、これらの図面に限定されるものではない。
図１は、本発明の注出口部付き自立袋の一実施例の構成を示す正面図である。
図２は、図１のＸ−Ｘ線の拡大断面図である。
図３は、本発明の注出口部付き自立袋の製造において、注出口部の裏面側の積層フィルムに注出口部からその基部を越えて袋の内部側に向けて外側に膨らむ半円筒状の膨らみ部を設けると同時に、その開口部を横切るようにテープ状シートを配置して、開口部の両側部で積層フィルムに熱接着して膨らみ部を固定する工程を説明する要部の図である。
図４は、本発明の注出口部付き自立袋の製造において、袋の前後の壁面の積層フィルムをそのシーラント層が対向するように重ね合わせて、特に注出口部の外周をヒートシールする際のシール方法の一例を説明する要部の図である。
【００２９】
図１に示した注出口部付き自立袋１００は、袋本体をスタンディングパウチ形式に形成したものであり、袋の胴部が前後の壁面の積層フィルム１a 、１b の両側の端縁部を縦方向の側部シール部６a 、６b でヒートシールして形成され、袋の底部が前後の壁面の積層フィルム１a 、１b の下部の間に、底面の積層フィルムを内側に折り返して底面の積層フィルム折り返し部２まで挿入してなるガセット部４を有する形式で形成され、内側に折り込まれた底面の積層フィルムの両側の下端近傍には、この場合、半円形の底面の積層フィルム切り欠き部３a 、３b が設けられ、ガセット部４が、内側が両側から中央部にかけて円弧状に凹状となる船底形のシールパターンの底部シール部５でヒートシールして形成されている。
【００３０】
そして、自立袋１００の上部の一方の側部（図において左側の側部）には、その外周、即ち、先端部と両側の側部および肩部を注出口部シール部７でヒートシールしてなる水平方向に外側に向く狭い幅の注出口部１０が、その両側に切り欠き部９a 、９b を設けて突出する形状に設けられており、注出口部１０の先端側の開封位置には、易開封性手段として、この場合、レーザー光照射によるハーフカット線１１とその上側の端部にノッチ１２が設けられている。尚、上記ハーフカット線１１は、両面の積層フィルム１a 、１b に前後で重なる位置に設けることが好ましい。
また、裏面側の積層フィルム１b には、注出口部１０からその基部（注出口部の基部を示す線Ｂ）を越えて袋の内部側に向けて、外側に膨らむ半円筒状の膨らみ部１３（図２も適宜参照）が、半円筒状の雌型内に常温で積層フィルム１b を雄型で押し込む方法で水平方向に設けられると共に、その半円筒状の膨らみ部１３が、注出口部１０の基部（Ｂ）の内部側の位置で、半円筒状の膨らみ部１３の開口部を横切るようにテープ状シート１４が配置され、該開口部の両側部で積層フィルム１b に熱接着部１５a 、１５b で熱接着されて固定されて構成されている。
尚、自立袋１００の上部のうち、注出口部１０を設けた部分を除く部分は、上部シール部８でヒートシールするが、この部分は内容物の充填口に使用するため、内容物の充填後にヒートシールして密封される。
【００３１】
図２は、図１に示した注出口部付き自立袋１００のＸ−Ｘ線の拡大断面図であり、特に、裏面側の壁面の積層フィルム１b に、注出口部１０からその基部（注出口部の基部を示す線Ｂ）を越えて袋の内部側に向けて設けられた半円筒状の膨らみ部１３を、注出口部１０の基部（Ｂ）の内部側の位置で、半円筒状の膨らみ部の開口部を横切るようにテープ状シート１４を配置して、該開口部の両側部で積層フィルム１b の内面に熱接着部１５a 、１５b で熱接着して固定した構成を説明する図である。
【００３２】
図２において、左右に示された積層フィルム１a 、１b のうち、右側、即ち、自立袋１００の裏面側の壁面の積層フィルム１b には、注出口部１０の略一杯の幅で外側に膨らむ半円筒状の膨らみ部１３が設けられており、注出口部１０の基部（Ｂ）の内部側の位置（図１参照）で、膨らみ部１３の開口部を横切るように配置されたテープ状シート１４を該開口部の両側部で積層フィルム１b の内面に熱接着部１５a 、１５b で熱接着して固定されている。
このように固定された膨らみ部１３が注出口部１０からその基部（注出口部の基部を示す線Ｂ）を越えて袋の内部側に至る領域に設けられた裏面側の積層フィルム１b と、膨らみ部１３が設けられていない表面側の積層フィルム１a とを用いて、注出口部付き自立袋１００を作製することにより、自立袋１００には、注出口部１０からその基部（注出口部の基部を示す線Ｂ）を越えて袋の内部側に至る領域に半円筒状の膨らみ部を保形性よく形成することができる。
【００３３】
図３は、本発明の注出口部付き自立袋の製造において、注出口部の裏面側の積層フィルム１b に注出口部からその基部を越えて袋の内部側に向けて外側に膨らむ半円筒状の膨らみ部１３を設けると同時に、その開口部Ｏを横切るようにテープ状シート１４を配置して、開口部Ｏの両側部で積層フィルムに熱接着して膨らみ部を固定する工程を説明する要部の図である。
図３において、上側には自立袋１００の表面側の積層フィルム１a が示され、下側に裏面側の積層フィルム１b が示されており、いずれも積層フィルム１a 、１b をシーラント層側から見た図である。従って、製袋の際には、いずれか一方の積層フィルムを上下方向に１８０°反転させてもう一方の積層フィルム上に重ね合わせて製袋加工を行うものである。また、図には注出口部のほか、自立袋の底部および側部シール部などの形状が示されているが、これらは説明を理解しやすくするために記載したもので、実際にはこの段階ではこれらは形成されておらず、形成予定位置を示したものである。
図３に示すように、表面側の積層フィルム１a と裏面側の積層フィルム１b とを、例えば、矢印で示す方向に、自立袋の幅に略相当する送りピッチで間欠的に送りながら、注出口部の形成予定位置に合わせて、その幅一杯の幅で水平方向に、図には示していないが、半円筒状の雌型と雄型とを用いて、常温で雌型内に積層フィルム１b を押し込む方法で、外側に半円筒状に膨らむ膨らみ部１３を形成させると共に、注出口部の基部（Ｂ）の内部側の位置に、前記膨らみ部１３の開口部Ｏを横切るようにテープ状シート１４を配置して、開口部Ｏの両側で熱接着部１５a 、１５b に示すように積層フィルム１b のシーラント層面に熱接着して膨らみ部１３を固定するものである。
尚、前記半円筒状の膨らみ部１３の形成に際しては、前記雌型と雄型とを２組用意して、テープ状シート１４を熱接着する位置の両側に配置して膨らみ部１３を形成することが、より安定した形状の膨らみ部１３を形成できる点で好ましい。
また、前記テープ状シート１４の熱接着は、前記膨らみ部１３の形成と共に、同一セクションで熱接着部１５a 、１５b の熱接着を行ってもよいが、膨らみ部１３の形成前の積層フィルム１b の所定の位置に、所定の長さにカットしたテープ状シート１４をいずれか一方の熱接着部で予め熱接着しておいて、膨らみ部１３の形成後、もう一方の熱接着部を熱接着して膨らみ部１３を固定するようにしてもよい。
【００３４】
図４は、本発明の注出口部付き自立袋の製造において、袋の前後の壁面の積層フィルムをそのシーラント層が対向するように重ね合わせて、特に注出口部の外周をヒートシールする際のシール方法の一例を説明する要部の図である。
注出口部の外周のヒートシールは、前記図１の注出口部シール部７に示したシールパターンで一回でヒートシールすることも可能であるが、例えば、図４の（イ）、（ロ）、（ハ）に示すように複数回に分割して逐次ヒートシールすることが、膨らみ部１３の両端、即ち、注出口部１０の先端部と、膨らみ部１３を注出口部１０の反対側に延長した端部（側部シール部６b ）のヒートシール部に余剰のフィルムにより発生するしわ（ひだ状部）の位置を安定化でき、シール抜けなどの防止策を確実に採れる点で一層好ましい。
図４の（イ）は、注出口部の両側部を、水平方向の膨らみ部１３の幅方向の両側に２〜３ｍｍ程度の間隔を置いて、互いに平行な水平方向の第１のシールヘッドパターンSHP1でヒートシールして、注出口部の両側部の一部に第１のシール部７a 、７a を形成する。
次いで、（ロ）に示すように、注出口部の両側部全体とそれに続く両肩部を第２のシールヘッドパターンSHP2でヒートシールして、注出口部の両側に第２のシール部７b 、７b を形成する。
更に、（ハ）に示すように、注出口部の先端部およびその下側の側部シール部６a を垂直方向の第３のシールヘッドパターンSHP3でヒートシールして、少なくとも注出口部の先端部に第３のシール部７c を形成して注出口部の外周全体をヒートシールするようにしたものである。
尚、上記シール方法において、（ロ）、（ハ）に示した第２のシールヘッドパターンSHP2および第３のシールヘッドパターンSHP3によるヒートシールは、必要な場合、２回続けて行ってもよい。
【００３５】
以下に、実施例を挙げて本発明を更に具体的に説明する。
【実施例１】
【００３６】
図１に示した構成の注出口部付き自立袋１００を、以下の構成の積層フィルムを袋の壁面と底面とに用いて、以下の寸法で製袋して実施例１の注出口部付き自立袋とした。
（１）自立袋の積層フィルムの構成
（外側）二軸延伸ナイロンフィルム（以下、ＯＮフィルム）（厚み１５μｍ）・印刷層／接着剤／酸化珪素蒸着層・二軸延伸ポリエチレンテレフタレートフィルム（以下、酸化珪素蒸着ＰＥＴフィルム）（厚み１２μｍ）／接着剤／線状低密度ポリエチレン（以下、Ｌ・ＬＤＰＥ）フィルム（厚み８０μｍ）
上記各フィルムの貼り合わせは、ドライラミネーション法で行い、各フィルムの間の接着剤は、ドライラミネート用の二液硬化型ポリウレタン系接着剤（乾燥時の塗布量３ｇ／ｍ2 ）を使用したものである。
【００３７】
（２）自立袋の各部の寸法
自立袋の外形寸法は、幅が１０５ｍｍで、高さ（長さ）が２００ｍｍとし、底部のガセット部４の高さ、即ち、袋の底辺から底面の積層フィルム折り返し部（ガセット部の上端）２までの高さは３２ｍｍとした。
ガセット部４をヒートシールする船底形のシールパターンは、図示した通り、内側が両側から中央部にかけて円弧状に凹状となるシールパターンとした。
また、袋の両側の側部シール部６a 、６b の幅は各６ｍｍとした。
注出口部１０は、図示した形状で、注出口部シール部７に示した形状の最大部の幅が３３ｍｍで、最大部の長さが５９ｍｍとなる大きさに設けた。
細部については、ハーフカット線１１を設けた位置の全幅が１７ｍｍで、ハーフカット線１１から注出口部の基部を示す線Ｂまでの長さが１８ｍｍ、注出口部１０の先細り角度は略９°になるように設けた。尚、ハーフカット線１１の上側の端部にはＶ字形のノッチ１２を設けた。
【００３８】
自立袋１００の裏面側の積層フィルム１b に、注出口部１０からその基部を越えて袋の内部側に向けて設けた外側に膨らむ半円筒状の膨らみ部１３は、幅が９ｍｍで一定とし、長さは注出口部の基部を示す線Ｂを基準とし、その外側（注出口部側）が２１ｍｍ、内側（袋の内部側）が３１ｍｍで全長が５２ｍｍとなるように設けた。
また、前記膨らみ部１３を固定するテープ状シート１４としては、幅が１３ｍｍで長さが３３ｍｍ、厚みが３００μｍの中密度ポリエチレン単層体のテープ状シートを用いて、注出口部の基部を示す線Ｂから内側に２ｍｍ離れた位置に、膨らみ部１３と直交する方向に膨らみ部１３の両側部近傍に熱接着して膨らみ部１３を固定した。
上記テープ状シートの引張強さは６４．３Ｎ／個である。
【実施例２】
【００３９】
前記実施例１の注出口部付き自立袋の構成において、前記膨らみ部１３を固定するために熱接着したテープ状シート１４の材質構成を、高密度ポリエチレンと中密度ポリエチレンと低密度ポリエチレンとを厚み比率２：１：１で総厚みが２５０μｍとなるように共押し出し成形した３層構成のテープ状シートに変更し、また、テープ状シート１４の幅を７ｍｍに変更して、その低密度ポリエチレン面を積層フィルム１b のシーラント層面に向けて熱接着したほかは、全て実施例１と同様に形成して実施例２の注出口部付き自立袋を作製した。
尚、上記テープ状シートの引張強さは３０．５Ｎ／個である。
【００４０】
以上のように作製した実施例１、２の注出口部付き自立袋について、特に、充填された液状の内容物を取り出す際の注出口部の開封性、および開封された注出口部の開口性とその保形性、内容物の注出性を評価するため、それぞれに内容物としてシャンプー３００ｍｌを充填し、脱気シールにより密封した後、一ヵ月間保存し、その後、手で注出口部の先端部をノッチからハーフカット線に沿って引き裂いて開封したところ、いずれも良好に開封することができた。また、開封された注出口部は、裏面側の積層フィルム１b に前記半円筒状の膨らみ部１３が設けられているので、自動的に半円筒状に広がり開口性にも優れていた。
次いで、口径の小さなボトルの口部に注出口部を差し込んで内容物の移し替えを行ったところ、実施例１、２の各注出口部付き自立袋とも、注出口部の半円筒状の広がりとその保形性がよく、注出の途中で注出口部が閉塞することもなく、最後までスムーズに内容物を移し替えることができた。
【産業上の利用可能性】
【００４１】
本発明の注出口部付き自立袋は、浴室、洗面所、台所などで使用される各種家庭用液体洗剤のほか、シャンプー、コンディショナー、ボディーソープ、そして、液体調味料、食用油、各種の飲料など、液状の内容物を密封包装し、内容物を使用する際に、ボトルなどの他の容器に移し替えて使用するような詰め替え用の包装袋として特に適しているが、充填される内容物や用途に関しては特に制限はない。
【図面の簡単な説明】
【００４２】
【図１】本発明の注出口部付き自立袋の一実施例の構成を示す正面図である。
【図２】図１のＸ−Ｘ線の拡大断面図である。
【図３】本発明の注出口部付き自立袋の製造において、注出口部の裏面側の積層フィルムに注出口部からその基部を越えて袋の内部側に向けて外側に膨らむ半円筒状の膨らみ部を設けると同時に、その開口部を横切るようにテープ状シートを配置して、開口部の両側部で積層フィルムに熱接着して膨らみ部を固定する工程を説明する要部の図である。
【図４】本発明の注出口部付き自立袋の製造において、袋の前後の壁面の積層フィルムをそのシーラント層が対向するように重ね合わせて、特に注出口部の外周をヒートシールする際のシール方法の一例を説明する要部の図である。
【符号の説明】
【００４３】
１ａ、１ｂ  壁面の積層フィルム
２  底面の積層フィルム折り返し部
３a 、３b   底面の積層フィルム切り欠き部
４  ガセット部
５  底部シール部
６a 、６b   側部シール部
７  注出口部シール部
７a   第１のシール部
７b   第２のシール部
７c   第３のシール部
８  上部シール部
９a 、９b   切り欠き部
１０  注出口部
１１  ハーフカット線
１２  ノッチ
１３  膨らみ部
１４  テープ状シート
１５ａ、１５ｂ  熱接着部
SHP1  第１のシールヘッドパターン
SHP2  第２のシールヘッドパターン
SHP3  第３のシールヘッドパターン
Ｂ  注出口部の基部を示す線
Ｏ  開口部
１００  注出口部付き自立袋
【図１】
0005071650.tif 000002
【図２】
0005071650.tif 000003
【図３】
0005071650.tif 000004
【図４】
0005071650.tif 000005